(57)【要約】【課題】  標章表示領域において標章を再表示するときそのときの環境負荷及びコストを少なくできる標章表示領域を備えた表面パネル及び画像形成装置を提供すること。【解決手段】  画像形成装置１の外装を成し標章が表示される一または複数の標章表示領域２０を備えた表面パネル部材１０と、標章表示領域２０に配置される標章表示部材２１の表面２５に標章２６を表示した表面パネルであって、前記表面パネル部材１０の標章表示領域２０には、前記標章表示部材２１を埋設係止する係止部１３と、前記標章表示部材２１は、前記表面パネル部材１０と別部材に形成され、表面に標章２６を表示する標章表示部と、この標章表示部材２１に形成され前記係止部１３に係合する係合部１５を備え、前記標章表示部材２１は、前記表面パネル部材１０に着脱自在に構成されていることを特徴とする表面パネルとこれを使用した画像形成装置である。【選択図】  図３
2005156680.tif 000002
【特許請求の範囲】
【請求項１】
装置の外装を成し標章が表示される一または複数の標章表示領域を備えた表面パネル部材と、標章表示領域に配置される標章表示部材とを備えた標章表示領域を備えた表面パネルであって、
前記表面パネル部材の標章表示領域には、前記標章表示部材を埋設係止する係止部を備え、
前記標章表示部材は、前記パネル部材と別部材に形成され、表面に標章を表示する標章表示部と、この標章表示部に形成され前記係止部に係合する係合部を備え、
前記標章表示部材は、前記パネル部材に着脱自在に構成されていることを特徴とする標章表示領域を備えた表面パネル。
【請求項２】
請求項１に記載の標章表示領域を備えた表面パネルにおいて、表面パネル部材に標章表示部材を取り付けた状態において、表面パネル部材の表面と、標章表示部の表面とが面一となるよう構成されていることを特徴とする標章表示領域を備えた表面パネル部材。
【請求項３】
請求項１または請求項２記載の標章表示領域を備えた表面パネルにおいて、表面パネル部と、標章表示部とは同じ材質で構成されていることを特徴とする標章表示領域を備えた表面パネル。
【請求項４】
請求項１ないし請求項３のいずれかの標章表示領域を備えた表面パネルにおいて、前記表面パネルの係止部には内側に向け係止段部が形成され、前記、標章表示部材の係合部には前記係止段部に弾性的に変形して係合する係合爪部が形成されていることを特徴とする標章表示領域を備えた表面パネル。
【請求項５】
請求項１ないし請求項４のいずれかの標章表示領域を備えた表面パネルにおいて、前記表面パネルには複数の標章が表示され、複数の標章を含む領域を標章表示領域としたことを特徴とする標章表示領域を備えた表面パネル。
【請求項６】
請求項１ないし請求項５に記載の標章表示領域を備えた表面パネルを備えたことを特徴とする画像形成装置。
【発明の詳細な説明】
【技術分野】
【０００１】
本発明は、装置の外装を成し標章が表示される１または複数の標章表示領域を備えた表面パネル部材と、標章表示領域に配置される標章表示部材とを備え、パネルのリサイクル使用が容易な標章表示領域を備えた表面パネルに関する。
【背景技術】
【０００２】
従来から、市場から回収されてきた画像形成装置及びその周辺機は、省資源、省エネルギーの観点から、再使用することができる部品はメンテナンスを行って再使用し、部品のリサイクル使用を行うものとしている。
【０００３】
図１に示すような画像形成装置１については、例えばその表面パネル６０についてもリサイクル使用が行われている。
【発明の開示】
【発明が解決しようとする課題】
【０００４】
ところが、図１に示すように、このような表面パネル６０には、供給者の商標を表示した標章表示領域２０や、装置の型番号などを表示した標章表示領域３０がある。このような、標章（本明細書では文字、図形、記号若しくは立体的形状若しくはこれらの結合又はこれらと色彩との結合をいう）表示部にシルクスクリーン印刷等で表示された標章は、具体的には、図５に示すように表面パネル６０の表面６１に標章６３「ＲＩＣＯＨ」、標章６４「ｉｍａｇｉｏＭＦ４５７０ＲＣ」のように直接印刷して表示しているため、使用期間中、および洗浄等の再生行為により印刷が薄くなってしまい見にくくなることがある。そのような表面パネルについては、表面パネルそのものを交換する事になり、環境への負荷が増大するほか、交換コストが嵩み好ましくない。
【０００５】
また、標章の新規印刷時、再印刷時において、同一表面パネルに複数の表示領域がある場合には、そのうちの１個所でもカスレ等の印刷不具合が発生すると、表面パネルそのものを交換しなければならず同様の不具合がある。
【０００６】
そこで本発明は、上記不具合に鑑みなされたものであり、標章表示領域において標章を再表示するときそのときの環境負荷及びコストを少なくすることを目的とする。
【課題を解決するための手段】
【０００７】
請求項１の発明は、装置の外装を成し標章が表示される１または複数の標章表示領域を備えた表面パネル部材と、標章表示領域に配置される標章表示部材とを備えた標章表示領域を備えた表面パネルであって、前記表面パネル部材の標章表示領域には、前記標章表示部材を埋設係止する係止部と、前記標章表示部材は、前記パネル部材と別部材に形成され、表面に標章を表示する標章表示部と、この標章表示部に形成され前記係止部に係合する係合部を備え、前記標章表示部材は、前記パネル部材に着脱自在に構成されていることを特徴とする標章表示領域を備えた標章表示領域を備えた表面パネルである。
【０００８】
請求項２の発明は、請求項１の標章表示領域を備えた表面パネルにおいて、表面パネル部材に標章表示部材を取り付けた状態において、表面パネル部材の表面と、標章表示部の表面とが面一となるよう構成されていることを特徴とする標章表示領域を備えた、標章表示領域を備えた表面パネルである。
【０００９】
請求項３の発明は、請求項１または請求項２の標章表示領域を備えた表面パネルにおいて、表面パネル部と、標章表示部とは同じ材質で構成されていることを特徴とする標章表示領域を備えた標章表示領域を備えた表面パネルである。
【００１０】
請求項４の発明は、請求項１ないし請求項３のいずれかの標章表示領域を備えた表面パネルにおいて、前記表面パネルの係止部には内側に向け係止段部が形成され、前記、標章表示部材の係合部には前記係止段部に弾性的に変形して係合する係合爪部が形成されていることを特徴とする標章表示領域を備えた、表面パネルである。
【００１１】
請求項５の発明は、請求項１ないし請求項４の標章表示領域を備えた表面パネルにおいて、前記表面パネルには複数の標章が表示され、複数の標章を含む領域を標章表示領域としたことを特徴とする標章表示領域を備えた標章表示領域を備えた表面パネルである。
【００１２】
請求項６発明は、請求項１ないし請求項５に記載の標章表示領域を備えた表面パネルを備えたことを特徴とする画像形成装置である。
【発明の効果】
【００１３】
本発明によれば、標章表示領域において標章を再表示するときそのときの環境負荷及びコストを少なくすることができる。
【発明を実施するための最良の形態】
【００１４】
以下本発明に係る標章表示領域を備えた表面パネルを使用した画像形成装置の実施の形態を図面に基づいて説明する。図１は本発明の実施形態に係る標章表示領域を備えた表面パネルを備えた画像形成装置の平面図、図２は図１に示した標章表示領域を備えた表面パネルの拡大平面図、図３は図２に示した標章表示部の構成を示す図であり、（ａ）は図２中Ａ−Ａ線に相当する端面図、（ｂ）は平面図である。
【００１５】
本例において発明が適用される装置はプリンタ、コピー、ＦＡＸ等の画像形成装置１である。この画像形成装置１の操作側のパネル、すなわち表面パネル部材１０には矩形の標章表示領域２０、３０が設けられている。本例では、この標章表示領域２０には「ＲＩＣＯＨ」等の社名を表示する標章２６が表示された標章表示部材２１が、また、標章表示領域３０には本例では型番「ｉｍａｇｉｏＭＦ４５７０」等を表示する標章３１を表示した表示される標章表示部材３１が表面パネル部材１０に面一に且つ着脱自在に取り付けられている。本例では表面パネル部材１０及び標章表示部材２１、３１は同一の合成樹脂で形成され、また同色に形成されている。
【００１６】
本例では、標章表示領域２０、３０は同一の構造を持っているので、標章表示領域２０について説明する。表面パネル部材１０部材の標章表示領域２０には、図３（ａ）に波線で示すように前記標章表示部材２１の外縁の輪郭と略同様の輪郭を備えた取付段部１２が凹設され、前記標章表示部材２１を嵌め込んだとき、前記表面パネル部材１０の表面１１と標章表示部材２１の表面２５とが面一になるようになる。また、表面パネル部材１０の取付段部１２の奥には、画像形成装置１の内部に向け立ち上がる係止部１３が立設形成されている。
【００１７】
一方標章表示部材２１の表面２５には、社名を表示する標章２６がシルクスクリーン印刷等の手段で表示されている。またこの標章表示部材２１には表面パネル部材１０への取り付け時に画像形成装置１の内側に向け立設された二本の脚部２２と、前記脚部２２から内側に伸び前記係止部１３に係止する係止爪部２３が形成されている。この脚部２２は合成樹脂で形成されているため、弾性を有しており、図３（ａ）に矢印Ｂで示すように変形するため、係止爪部２３が前記係止部１３に係脱可能に係止できる。
【００１８】
本例によれば、画像形成装置１の使用期間中、および洗浄等の再生行為により印刷が薄くなってしまい見にくくなったとしても、そのような表面パネルについては、表面パネル部材はそのままで、標章表示部材だけを交換するだけで再使用することができ、環境への負荷が減少するほか、交換コストが安価なものとなる。
【００１９】
次に本発明の第２の実施の形態について説明する。図４に示すように、本例は、同一表面パネル５０の表面５１に二つの標章４１、４２を表示するものである。そして、これらの標章４１，４２は一つの表示領域４０に、一つの標章表示部材４３を用いて着脱自在に取り付けたものである。本例では、複数の標章の表示について一回の標章表示部材４３の取り替えで表面パネルの再生を行うことができ、標章表示部材交換の手間が減少する。
【００２０】
なお、前記実施の形態では、装置として画像形成装置を例として説明したが、適用される装置は画像形成装置に限られない。また、標章の表示はシルクスクリーン印刷を例にして説明したが、標章の表示はその他の手段であっても良いし、係止部及び係合部の形状は上記の例に限らずどのような機構であっても良い。さらに標章表示領域の形状も矩形に限ることなく円形、楕円形等どのような形状でも良いことがもちろんである。
【図面の簡単な説明】
【００２１】
【図１】本発明の実施形態に係る標章表示領域を備えた表面パネルを備えた画像形成装置の平面図である。
【図２】図１に示した標章表示領域を備えた表面パネルの拡大平面図である。
【図３】図２に示した標章表示部の構成を示す図であり、（ａ）は図２中Ａ−Ａ線に相当する端面図、（ｂ）は平面図である。
【図４】本発明に係る標章表示領域を備えた表面パネルの他の実施形態を示す平面図である。
【図５】従来の標章表示領域を備えた表面パネルの構成を示す図２と同様の拡大平面図である。
【符号の説明】
【００２２】
１     画像形成装置
１０   表面パネル部材
１１   表面
１２   取付段部
１３   係止部
１５   係合部
２０   標章表示領域
２１   標章表示部材
２２   脚部
２３   係止爪部
２５   表面
２６   標章
３０   標章表示領域
３１   標章
４０   表示領域
４１   標章
４３   標章表示部材
５０   表面パネル部材
５１   表面
【図１】
2005156680.tif 000003
【図２】
2005156680.tif 000004
【図３】
2005156680.tif 000005
【図４】
2005156680.tif 000006
【図５】
2005156680.tif 000007